(57)【要約】【課題】花瓶の水に薬剤を溶かすことで生じる下水の水質低下を解消することができ、しかも廉価でかつ使い方も簡単で、切り花の寿命を長くすることができる切り花の加湿方法および切り花用シート状加湿器を提供すること。【解決手段】保水性シート１１の長さ方向の一端部に形成された第１の掛止突片１２を、その長さ方向の他端部に形成された掛止スリット１３に掛合し、シート状加湿器１０を組み立て、これを切り花１６に接触させて花瓶１５に挿す。これにより、従来の切花延命剤を使用した場合に生じた下水の水質低下を解消でき、廉価でかつ簡単な組み立て作業を行うだけで、切り花１６の寿命を長くすることができる。【選択図】図１
2010149875.tif 000002
【特許請求の範囲】
【請求項１】
吸水性シートからなり、該吸水性シートの長さ方向の一端部に第１の掛止部が形成される一方、長さ方向の他端部に前記第１の掛止部と掛合する第２の掛止部が形成されたことを特徴とする切り花用のシート状加湿器。
【請求項２】
前記吸水性シートは、先端へ向かって徐々に幅広となる笏形状の加湿エレメントを、隣接するもの同士の長辺を突き合わせて多数枚連結した扇形状のもので、
前記各加湿エレメントの元部間および先部間には、スリットが形成されたことを特徴とする請求項１に記載の切り花用のシート状加湿器。
【請求項３】
吸水性シートからなるシート状加湿器に水を含ませ、該水を含ませたシート状加湿器を切り花に接触させることで、前記シート状加湿器の表面から自然気化した水分により、前記切り花を加湿することを特徴とする切り花の加湿方法。
【請求項４】
前記シート状加湿器は、裏側あるいは両側に保形用のプラスチックフィルムを重ね合わせて前記切り花の花束に巻き付けられる請求項３に記載の切り花の加湿方法。
【請求項５】
前記吸水性シートは、紙、不織布、スポンジのうち、何れか１つである請求項３または４に記載の切り花の加湿方法。
【発明の詳細な説明】
【技術分野】
【０００１】
本発明は、切り花用のシート状加湿器および切り花の加湿方法、詳しくは切り花に接触状態で使用され、水の自然蒸発によって切り花を加湿する自然気化式の切り花用のシート状加湿器および切り花の加湿方法に関する。
【背景技術】
【０００２】
従来、花瓶に活けられた切り花の鮮度を保持する方法としては、殺菌活性物質を主体とする種々の切花延命剤を水に溶かして使用する方法（例えば特許文献１）が知られている。
また、束ねた切り花にポリプロピレン製のラッピングシートを巻いた花束は、花屋から自宅等の花瓶に活けるまでの間、枯れたりしおれたりしないように、茎の根元に水を含ませた不織布やスポンジを巻き、その上にアルミニウム箔を被せて水の滴りを防止する保水処理がなされている。
【０００３】
しかしながら、花瓶の水に溶かされた切花延命剤は、使用後、切花延命剤が溶けた水を生活排水として下水道に流すことになる。そのため、下水の水質を低下させるおそれがあった。
また、前述したように花束は茎の根元に水を含ませた不織布やスポンジを巻き付け、さらにアルミニウム箔を被せる必要があったため、花束を作るのが面倒であった。
【特許文献１】特開平１１−１８９５０１号公報
【発明の開示】
【発明が解決しようとする課題】
【０００４】
本発明は、上記問題点に鑑みてなされたもので、花瓶の水に薬剤を溶かすことで生じる下水の水質低下を解消することができ、しかも廉価でかつ使い方も簡単で、切り花の寿命を長くすることができる切り花の加湿方法および切り花用シート状加湿器を提供することを目的としている。
【課題を解決するための手段】
【０００５】
請求項１に記載の本発明は、吸水性シートからなり、該吸水性シートの長さ方向の一端部に第１の掛止部が形成される一方、長さ方向の他端部に前記第１の掛止部と掛合する第２の掛止部が形成されたことを特徴とする切り花用のシート状加湿器である。
【０００６】
請求項１に記載の本発明によれば、第１の掛止部と第２の掛止部とを掛合して吸水性シートを筒体に組み立て、切り花用のシート状加湿器とする。その後、このシート状加湿器の上部を花瓶の外に露出させ、水を入れた花瓶の中にシート状加湿器を挿す。このとき、シート状加湿器の内側空間に切り花を挿入し、切り花の花弁や葉をシート状加湿器（特にその先部）と接触させる。これにより、吸水性シートの表面から自然気化した水分により、切り花の花弁や葉を加湿する。その結果、従来のように花瓶の水に薬剤を溶かすことで生じる下水の水質低下を解消することができ、しかも廉価でかつ使い方も簡単で、切り花の寿命を長くすることができる。
【０００７】
ここで、吸水性シートとは、毛細管現象により、水を継続的に揚水することのできるシートを指し、例えば紙、布帛（織布、不織布、編布）、スポンジなどを採用することができる。具体的には、ポリエステル繊維、ポリオレフィン系繊維、芯―鞘型あるいはサイド・バイ・サイド型の熱接着性複合繊維などからなる乾式不織布にカレンダー加工、エンボス加工あるいは樹脂加工を施した剛性のある厚手のシートなどが好適に採用することができる。吸水性シートには、水を吸着したままでも雑菌やカビ等が発生しないように抗菌カビ剤を不織布繊維に混合することが望ましい。シートの繊維構造は、不織布に限定されるものではなく、例えば織物に樹脂加工を施した吸水性のシートであってもよく、いずれにせよ、毛細管現象により、水を継続的に揚水できるものであれば限定されない。
吸水性シートの形状としては、例えば矩形状、台形状、扇形状などを採用することができる。
【０００８】
切り花としては、例えばバラ、蘭、菊、ユリなどが挙げられる。切り花は、茎から葉を切り取って花弁だけとしたものでも、茎に葉と花弁との両方を残したものでもよい。
第１の掛止部と第２の掛止部との形状は任意である。例えば、両掛止部の一方を突片とし、他方をスリットとしてもよい。また、両掛止部が、掛合方向を反対にした鉤形状の掛止片でもよい。その他、両掛止部が面状ファスナでもよい。
【０００９】
請求項２に記載の本発明は、該吸水性シートは、先端へ向かって徐々に幅広となる笏形状の加湿エレメントを、隣接するもの同士の長辺を突き合わせて多数枚連結した扇形状のもので、前記各加湿エレメントの元部間および先部間には、スリットが形成されたことを特徴とする請求項１に記載の切り花用のシート状加湿器である。
【００１０】
請求項２に記載の本発明によれば、各加湿エレメントの元部間および先部間には、スリットが形成されている。そのため、シート状加湿器を組み立てて、水入りの花瓶に挿した際、花瓶の底部内で各加湿エレメントの元部を放射方向外側へ広げることができる。これにより、花瓶内でのシート状加湿器の安定性が高まる。しかも、シート状加湿器の先部間にもスリットが形成されて、各加湿エレメントの先部を放射方向外側へ広げることができるので、各加湿エレメントの先部がブーケを構成する切り花の花弁や葉に接触したとき、これらを傷付け難いとともに、各加湿エレメントを切り花の疑似葉とし、シート状加湿器のデザイン性を高めることができる。
【００１１】
加湿エレメントの形成数は複数であれば任意である。各加湿エレメントの先部の形状は、接触した切り花を傷付け難いように、先端を丸めた方が好ましい。
スリットの長さは任意である。また、すべてのスリットの長さは均一でも、不均一でもよい。
【００１２】
請求項３に記載の本発明は、吸水性シートからなるシート状加湿器に水を含ませ、該水を含ませたシート状加湿器を切り花に接触させることで、前記シート状加湿器の表面から自然気化した水分により、前記切り花を加湿することを特徴とする切り花の加湿方法である。
【００１３】
請求項３に記載の発明によれば、シート状加湿器に水を含ませ、これをブーケを構成する切り花の花弁や葉に接触させる。これにより、シート状加湿器の表面から自然気化した水分により、切り花を加湿する。その結果、従来のように花瓶の水に薬剤を溶かすことで生じる下水の水質低下を解消することができ、しかも廉価でかつ使い方も簡単で、切り花の寿命を長くすることができる。しかも、このシート状加湿器は、花の延命と同時に、ブーケの形状を整え、その乱れを防ぐ効果もある。
【００１４】
請求項４に記載の本発明は、前記シート状加湿器は、裏側あるいは両側に保形用のプラスチックフィルムを重ね合わせて前記切り花の花束に巻き付けられる請求項３に記載の切り花の加湿方法である。
【００１５】
請求項４に記載の本発明によれば、水を含ませたシート状加湿器の裏側あるいは両側に保形用のプラスチックフィルムを重ね合わせ、これを切り花の花束に巻き付ける。シート状加湿器がプラスチックフィルムにより支持されているので、シート状加湿器に薄い吸水性シートを採用しても、シートのヘタリが発生し難い。
【００１６】
プラスチックフィルムの素材としては、例えばポリプロピレン、ポリエチレンなどのポリオレフィンや、ポリエチレンテレフタレートなどのポリエステルなどを採用することができるが、これに限定されるものではない。
プラスチックフィルムの形状としては、例えばシート状加湿器と同じ矩形状などを採用することができる。
【００１７】
請求項５に記載の本発明は、前記吸水性シートは、紙、不織布、スポンジのうち、何れか１つである請求項３または４に記載の切り花の加湿方法である。
吸水性シートは、紙でも、不織布でも、スポンジでもよい。スポンジの素材としては、例えば発泡ポリ塩化ビニル、発泡ポリエチレン、発泡ポリウレタン、発泡ポリスチレンなどを採用することができるが、これらに限定されるものではない。
【発明の効果】
【００１８】
請求項１に記載の本発明によれば、第１の掛止部と第２の掛止部とを掛合してシート状加湿器を組み立て、これを切り花に接触させて花瓶に挿すように構成したので、従来の切花延命剤を使用した場合に生じていた下水の水質低下を解消でき、廉価でかつ簡単な組み立てを行うだけで、切り花の寿命を長くすることができる。しかも、このシート状加湿器は、花の延命と同時に、ブーケの形状を整え、その乱れを防ぐ効果もある。
【００１９】
請求項２に記載の本発明によれば、各加湿エレメントの元部間および先部間にスリットを形成した扇形状のもので、組み立てられたシート状加湿器の花瓶内での安定性が高まり、シート状加湿器が切り花に接触した時に切り花を傷付け難く、シート状加湿器のデザイン性も高まる。
【００２０】
請求項３に記載の本発明によれば、シート状加湿器に水を含ませ、これを切り花の花弁や葉に接触させるので、請求項１と同様の効果が得られる。
【００２１】
請求項５に記載の本発明によれば、シート状加湿器をプラスチックフィルムにより支持するので、薄いシート状加湿器を採用した場合でも、水を含ませて使用したときのヘタリを防止することができる。
【発明を実施するための最良の形態】
【００２２】
以下、図１〜図３を参照して、本発明の実施例に係る切り花用のシート状加湿器および切り花の加湿方法を説明する。
【実施例１】
【００２３】
図１において、１０は本発明の実施例１に係る切り花用のシート状加湿器（以下、シート状加湿器）である。このシート状加湿器１０は、深さ８０ｍｍ、口径７０ｍｍのコップ状の花瓶専用で、表裏面がエンボス加工されたポリエステル繊維不織布製の吸水性シート１１からなる。吸水性シート１１の長さ方向の一端部には、先部が台形状の掛止突片（第１の掛止部）１２が、吸水性シート１１をカットして形成されている。また、吸水性シート１１の長さ方向の他端部には、掛止突片１２の掛止スリット（第２の掛止部）１３が形成されている。なお、別の吸水性シート１１としては、例えば、軽量で摩擦に強いポリエステルのほか、ポリオレフィン系繊維やフェノール樹脂等の吸水性のある合成樹脂を採用してもよい。吸水性シート１１の素材には、水を吸着したままでも雑菌やカビ等が発生しないように、抗菌・防カビ剤を混合した方がよい。
【００２４】
吸水性シート１１は、先端へ向かって徐々に幅広となる加湿エレメント１４を、互いの長辺を突き合わせて１０枚連結した扇形状のものである。各加湿エレメント１４は、円弧形状の先端部を有する長さ１６０ｍｍ、先端の最大幅３０ｍｍ（先端部）、最小幅１０ｍｍ（元部）の笏形状の紙片である。各加湿エレメント１４の元部間および先部間には、それぞれ長さ３５ｍｍのスリットＳが形成されている。これにより、各加湿エレメント１４の元部と先部とは、隣接する加湿エレメント１４から分離されている。
【００２５】
次に、図１〜図３を参照して、本発明の実施例１に係る切り花用のシート状加湿器１０を使用した切り花の加湿方法を説明する。
まず、図１に示す吸水性シート１１を扇の幅方向へ丸め、この状態で掛止突片１２を掛止スリット１３に掛止する。これにより、先へ向かって徐々に拡径化したラッパ形状のシート状加湿器１０が組み立てられる（図２）。その後、各加湿エレメント１４の先部を花弁形状に外方へ反らせ、シート状加湿器１０の元部も外方へ反らせる。この状態で各加湿エレメント１４の先部を花瓶１５の外に露出させ、水を入れた花瓶１５の中にこれを挿す(図３)。
【００２６】
このとき、シート状加湿器１０の内側空間に切り花１６を挿入し、切り花１６の花弁や葉を、シート状加湿器１０、特に加湿エレメント１４の外方へ反らせた先部に接触させる。これにより、吸水性シート１１の表面から自然気化した水分により、切り花１６の花弁や葉を加湿することができる。その結果、従来のように花瓶の水に薬剤を溶かすことで生じていた下水の水質低下を解消することができる。しかも、シート状加湿器１０は、廉価でかつ使い方も簡単でありながら、切り花１６の寿命を長くすることができる。
実際に、実施例１のシート状加湿器１０を使用し、バラの日持ち試験を３月中旬の室内において、室温の温度条件下、湿度３０％前後、乾燥の激しい風ありの事務所で行った。その結果、シート状加湿器１０を使用しない場合には４日目あたりから花の萎れがでるようになり、６日目には花全体にかなりの萎れが目立つようになった。一方、本発明のシート状加湿器１０を使用した場合には、６日目にも花の萎れがなく、一日目と殆ど変らなかった。
【００２７】
次に、図４〜図６を参照して、本発明の実施例２に係る切り花用のシート状加湿器および切り花の加湿方法を説明する。
図４に示すように、本発明の実施例２に係る切り花用のシート状加湿器１０Ａは、切り花１６を束ねた花束１７をラッピングする矩形状の肉薄な吸水性シート１１Ａからなる。吸水性シート１１Ａとしては、Ａ４サイズ、あるいは縦２１０ｍｍ、横３００ｍｍの水を含んだ色紙が使用される。シート状加湿器１０Ａは薄い紙であるので、乾燥を防ぐ図示しない密封容器や密封袋に入れたロール状物Ｒとして流通される。なお、あらかじめ所定長さにカットしたものを前記密封袋などに畳んで収納してもよい(ウェットティッシュ袋式)。
【００２８】
次に、本発明の実施例２に係る切り花用のシート状加湿器１０Ａを使用した切り花の加湿方法を説明する。
図４に示すように、まず、密封容器や密封袋の中から水を含んだシート状加湿器１０Ａを所定長さ引き出し、これをハサミ等でカットする。次に、このカット物を矩形状のプラスチックフィルム（例えば、花やで通常用いられるラッピング用のポリエステルフィルムやポリプロピレンフィルム）１８に重ね合わせる(図５)。得られた２層式のシート材１８を、シート状加湿器１０Ａを内側にして、先方へ徐々に拡径したラッパ状に花束１７巻き付ける(図６)。これにより、水を含ませたシート状加湿器１０Ａが切り花１６に接触し、シート状加湿器１０Ａの表面から自然気化した水分により、切り花１６を加湿することができる。
【００２９】
このように、シート状加湿器１０Ａがプラスチックフィルム１８により支持裏当てされているので、シート状加湿器１０Ａが薄紙でも、シート状加湿器１０Ａにヘタリが発生し難い。
その他の構成、作用および効果は、実施例１と略同じであるので、説明を省略する。
【図面の簡単な説明】
【００３０】
【図１】本発明の実施例１に係る切り花用のシート状加湿器の展開図である。
【図２】本発明の実施例１に係る切り花用のシート状加湿器の組み立て図である。
【図３】本発明の実施例１に係る切り花用のシート状加湿器の使用状態の斜視図である。
【図４】本発明の実施例２に係る切り花用のシート状加湿器の斜視図である。
【図５】本発明の実施例２に係る切り花用のシート状加湿器のプラスチックフィルムとの重ね合わせ状態を示す斜視図である。
【図６】本発明の実施例２に係る切り花用のシート状加湿器の使用状態を示す斜視図である。
【符号の説明】
【００３１】
１０，１０Ａ  切り花用のシート状加湿器
１１，１１Ａ  吸水性シート
１２  掛止突片（第１の掛止部）
１３  掛止スリット（第２の掛止部）
１４  加湿エレメント
１６  切り花
１７  花束
１８  プラスチックフィルム
Ｓ  スリット
【図１】
2010149875.tif 000003
【図２】
2010149875.tif 000004
【図３】
2010149875.tif 000005
【図４】
2010149875.tif 000006
【図５】
2010149875.tif 000007
【図６】
2010149875.tif 000008